(57)【特許請求の範囲】
【請求項１】
原稿載置台に載置された原稿を、原稿読取位置の一部である給送原稿読取位置に給送する原稿給送部と、
発光ダイオードを有する光源を有して当該光源からの照射光を前記原稿読取位置に向かわせ、前記給送原稿読取位置と、コンタクトガラス上に載置された原稿を読み取る載置原稿読取位置との間で移動可能な光学系と、当該光学系により導かれた前記照射光による前記各原稿読取位置にある原稿からの反射光を電気信号に変換して画像データを得る変換部とを有する画像読取部と、
前記給送原稿読取位置の下方位置の温度を検出する第１の温度検出部と、
前記載置原稿読取位置の下方位置の温度を検出する第２の温度検出部と、
本画像形成装置の周囲環境温度を検出する第３の温度検出部と、
前記光源を含む前記画像読取部を駆動制御する制御部と、
当該画像形成装置の各動作機構に通常動作を行わせる通常動作モードと、当該通常動作モードよりも低い電力で前記光源を含む予め限定された動作機構のみを動作させるスリープモードとを切り換えるモード切換制御部と、
前記モード切換制御部により前記スリープモードに切り換えられているときに、前記予め限定された動作機構に、制限された電力で電源を供給するスリープ用電源と、
前記モード切換制御部により前記スリープモードに切り換えられた状態で、前記スリープ用電源からの電源供給を受ける前記予め限定された動作機構を駆動制御するスリープ用駆動制御部とを備え、
前記制御部は、前記モード切換制御部による前記スリープモードへの切換時に、前記光学系を前記給送原稿読取位置に移動させ、
前記スリープ用駆動制御部は、前記モード切換制御部による前記スリープモードへの切換後に、
(i)前記第３の温度検出部による検出温度と前記第２の温度検出部による検出温度との第１の温度差が予め定められた温度差以上であるか否かを判定する処理を行い、
(ii)前記(i)の処理において前記第１の温度差が前記予め定められた温度差未満である場合に、前記画像読取部による前記給送原稿読取位置における画像読取および前記載置原稿読取位置における画像読取の両方の読み取りを可能とする処理を行い、
(iii)前記(i)の処理において前記第１の温度差が前記予め定められた温度差以上である場合に、(iii-i)前記スリープ用電源から電源供給を受ける前記光源を駆動させる処理、および(iii-ii)前記第３の温度検出部による検出温度と前記第１の温度検出部による検出温度との第２の温度差が前記予め定められた温度差以上であるか否かを判定する処理を行い、
(iv)前記(iii-ii)の処理において前記第２の温度差が前記予め定められた温度差未満である場合に、前記画像読取部による前記給送原稿読取位置における画像読取を可能とし、前記載置原稿読取位置における画像読取を制限する処理を行う画像形成装置。
【請求項２】
前記スリープ用駆動制御部は、前記(iv)の処理後に載置原稿読取の実行指示を受け付けた場合に、前記第１の温度差が前記予め定められた温度差以上であるか否かを判定し、前記第１の温度差が前記予め定められた温度差未満である場合に、前記載置原稿読取位置における画像読取の制限を解除する、請求項１に記載の画像形成装置。
【請求項３】
操作者に対して報知を行う報知部を更に備え、
前記スリープ用駆動制御部は、前記(iv)の処理で前記画像読取を制限する状況にあるときは、前記報知部に操作者に対して当該状況を示す報知を行わせる請求項１に記載の画像形成装置。
【請求項４】
前記光源は、前記発光ダイオードと、前記スリープ用駆動制御部から当該光源の駆動指示を受けて当該光源を駆動する光源駆動部とを備え、
前記発光ダイオード及び前記光源駆動部は、共に同一の制御基板上に設けられている請求項１乃至請求項３のいずれかに記載の画像形成装置。
【請求項５】
前記スリープモードに切り換えられているときに前記光源を駆動させるタイミングの指定が操作者から入力される入力部を更に備え、
前記スリープ用駆動制御部は、前記入力部に入力された前記タイミングで、前記スリープモードに切り換えられているときにおける前記光源の駆動を開始する請求項１乃至請求項４に記載の画像形成装置。
【発明の詳細な説明】
【技術分野】
【０００１】
本発明は、画像形成装置に関し、特に、装置本体における原稿読取位置付近の結露を防止する技術に関する。
【背景技術】
【０００２】
従来、画像形成装置では、装置内で発生する結露による原稿読取動作の不具合発生を防止するために、結露防止技術が採用されている。この結露防止技術としては、例えば、下記特許文献１に示されるように、画像読取装置のキセノンランプを発光させ、当該発光による発熱で画像読取装置の温度を上昇させることで、画像形成装置の設置場所の温度が、低温状態から暖房等により急に上昇したときに、低温状態のままである画像形成装置と周囲環境の温度差により画像読取装置に生じる結露を防止するものがある。
【先行技術文献】
【特許文献】
【０００３】
【特許文献１】特開２００５−９２６８６号公報
【発明の概要】
【発明が解決しようとする課題】
【０００４】
上記従来の結露防止技術では、上記結露防止のためにキセノンランプを発光させるには、当該キセノンランプに電源を供給する必要があるが、キセノンランプに電源を供給するためには、装置各部に電力を供給しなければならず、当該キセノンランプの発光を電力消費の点で効率よく行うことができない。今日では、装置の駆動に省電力化が求められているため、更なる改善が望まれる。
【０００５】
本発明は、上記の問題を解決するためになされたもので、従来よりも消費電力を低減させた上で、画像読取部の光源を発光させて結露を防止することを目的とする。
【課題を解決するための手段】
【０００６】
本発明の請求項１に記載の発明は、
原稿載置台に載置された原稿を、原稿読取位置の一部である給送原稿読取位置に給送する原稿給送部と、
発光ダイオードを有する光源を有して当該光源からの照射光を前記原稿読取位置に向かわせ、前記給送原稿読取位置と、コンタクトガラス上に載置された原稿を読み取る載置原稿読取位置との間で移動可能な光学系と、当該光学系により導かれた前記照射光による前記各原稿読取位置にある原稿からの反射光を電気信号に変換して画像データを得る変換部とを有する画像読取部と、
前記給送原稿読取位置の下方位置の温度を検出する第１の温度検出部と、
前記載置原稿読取位置の下方位置の温度を検出する第２の温度検出部と、
本画像形成装置の周囲環境温度を検出する第３の温度検出部と、
前記光源を含む前記画像読取部を駆動制御する制御部と、
当該画像形成装置の各動作機構に通常動作を行わせる通常動作モードと、当該通常動作モードよりも低い電力で前記光源を含む予め限定された動作機構のみを動作させるスリープモードとを切り換えるモード切換制御部と、
前記モード切換制御部により前記スリープモードに切り換えられているときに、前記予め限定された動作機構に、制限された電力で電源を供給するスリープ用電源と、
前記モード切換制御部により前記スリープモードに切り換えられた状態で、前記スリープ用電源からの電源供給を受ける前記予め限定された動作機構を駆動制御するスリープ用駆動制御部とを備え、
前記制御部は、前記モード切換制御部による前記スリープモードへの切換時に、前記光学系を前記給送原稿読取位置に移動させ、
前記スリープ用駆動制御部は、前記モード切換制御部による前記スリープモードへの切換後に、
(i)前記第３の温度検出部による検出温度と前記第２の温度検出部による検出温度との第１の温度差が予め定められた温度差以上であるか否かを判定する処理を行い、
(ii)前記(i)の処理において前記第１の温度差が前記予め定められた温度差未満である場合に、前記画像読取部による前記給送原稿読取位置における画像読取および前記載置原稿読取位置における画像読取の両方の読み取りを可能とする処理を行い、
(iii)前記(i)の処理において前記第１の温度差が前記予め定められた温度差以上である場合に、(iii-i)前記スリープ用電源から電源供給を受ける前記光源を駆動させる処理、および(iii-ii)前記第３の温度検出部による検出温度と前記第１の温度検出部による検出温度との第２の温度差が前記予め定められた温度差以上であるか否かを判定する処理を行い、
(iv)前記(iii-ii)の処理において前記第２の温度差が前記予め定められた温度差未満である場合に、前記画像読取部による前記給送原稿読取位置における画像読取を可能とし、前記載置原稿読取位置における画像読取を制限する処理を行う画像形成装置である。
【０００７】
この発明では、光源は発光ダイオードを有し、当該光源にスリープ用電源から電源供給することにより、スリープモードに切り換えられている状態でも、スリープ用駆動制御部が光源を発光させることを可能にしている。発光ダイオードは、消費電力が比較的少ないため、スリープ用電源からの上記制限された電力、すなわち低電力の電源供給であっても駆動して発光させることが可能である。これにより、本発明によれば、比較的発熱量が少ない発光ダイオードであっても、スリープモード状態のうちから発光させておくことで、結露防止に必要な発熱量を確保できる。なお、消費電力の少ない発光ダイオードを光源としているため、従来よりも少ない消費電力で結露防止に必要な発熱量を得ることが可能である。
【０００８】
原稿給送部により給送される原稿を読み取る場合には、画像読取部の光学系は、上記給送原稿読取位置に留まった状態で、給送されてくる原稿を読み取るので、給送原稿読取時に正常な読取動作を確保するために結露を防止すべき領域は、画像読取部の光学系が移動しながら載置原稿読取位置にある原稿を読み取る場合よりも小さく、上記光源の発熱により、結露防止可能な温度に到達するまでの加熱時間が少なくて足りる。このため、スリープ用駆動制御部がスリープモード時に給送原稿読取位置に位置している光学系の光源を発光させることにより、給送原稿読取位置周辺を載置原稿読取位置周辺よりも早く温度を上昇させ、原稿給送部により給送される原稿の読取を、載置原稿読取位置における原稿読取よりも先に可能にすることができる。
【０００９】
この発明では、給送原稿読取位置周辺よりも遅れて温度が上昇する載置原稿読取位置部分での原稿読取を許可するタイミングを、温度検出部により検出されるコンタクトガラスの温度に基づいて正確に判断でき、結露を要因とした載置原稿読取位置部分での原稿読取の失敗を防止することができる。これにより、給送原稿読取位置及び載置原稿読取位置のいずれにおいても、結露を要因とする原稿読取の失敗を防止しつつ、給送原稿読取位置での原稿読取動作を早期に可能にすることができる。
【００１０】
また、請求項２に記載の発明は、請求項１に記載の画像形成装置であって、
前記スリープ用駆動制御部は、前記(iv)の処理後に載置原稿読取の実行指示を受け付けた場合に、前記第１の温度差が前記予め定められた温度差以上であるか否かを判定し、前記第１の温度差が前記予め定められた温度差未満である場合に、前記載置原稿読取位置における画像読取の制限を解除するものである。
【００１１】
また、請求項３に記載の発明は、請求項１に記載の画像形成装置であって、
操作者に対して報知を行う報知部を更に備え、
前記スリープ用駆動制御部は、前記(iv)の処理で前記画像読取を制限する状況にあるときは、前記報知部に操作者に対して当該状況を示す報知を行わせるものである。
【００１２】
この発明では、載置原稿読取位置での原稿読取が制限される場合は、報知部により操作者に対する報知が行われるので、操作者に、載置原稿読取位置における原稿読取が未だ不可能であることを認識させることが可能である。
【００１３】
また、請求項４に記載の発明は、請求項１乃至請求項３のいずれかに記載の画像形成装置であって、前記光源は、前記発光ダイオードと、前記スリープ用駆動制御部から当該光源の駆動指示を受けて当該光源を駆動する光源駆動部とを備え、
前記発光ダイオード及び前記光源駆動部は、共に同一の制御基板上に設けられているものである。
【００１４】
この発明では、発光ダイオードと、発熱量の多い光源駆動部は、共に同一の制御基板上に設けられているため、結露防止のために光源を発光させる際には、当該発光ダイオードの発光による発熱に光源駆動部からの発熱を加えて原稿読取位置周辺を加熱できる。これにより、原稿読取位置周辺を効率良く加熱して、画像読取部による原稿読取動作が可能な状態に迅速に移行させることができる。
【００１５】
また、請求項５に記載の発明は、請求項１乃至請求項４に記載の画像形成装置であって、前記スリープモードに切り換えられているときに前記光源を駆動させるタイミングの指定が操作者から入力される入力部を更に備え、
前記スリープ用駆動制御部は、前記入力部に入力された前記タイミングで、前記スリープモードに切り換えられているときにおける前記光源の駆動を開始するものである。
【００１６】
この発明では、スリープ用駆動制御部は、操作者により入力部に入力されたタイミングで、スリープモードに切り換えられているときに光源の駆動を開始するので、例えば、操作者は、周囲環境に応じて、光源を駆動して発熱させる時期を変更して、結露を最も効果的に防止できる時期を設定することが可能になる。
【発明の効果】
【００１７】
本発明によれば、従来よりも消費電力を低減させた上で、画像読取部の光源を発光させて結露を防止することができる。
【図面の簡単な説明】
【００１８】
【図１】本発明の一実施形態に係る画像形成装置の構造を示す正面断面図である。
【図２】画像形成装置の主要内部構成を概略的に示す機能ブロック図である。
【図３】画像読取部及び原稿給送部の概略構成を示す概略断面図である。
【図４】画像形成装置における電源制御系の概略構成を示す図である。
【図５】画像形成装置における光照射部の駆動制御の第１実施形態を示すフローチャートである。
【図６】画像形成装置における光照射部の駆動制御の第２実施形態を示すフローチャートである。
【発明を実施するための形態】
【００１９】
以下、本発明の一実施形態に係る画像形成装置について図面を参照して説明する。図１は、本発明の一実施形態に係る画像形成装置の構造を示す正面断面図である。画像形成装置１は、例えば、コピー機能、プリンター機能、スキャナー機能、およびファクシミリ機能等の複数の機能を兼ね備えた複合機である。画像形成装置１は、装置本体１１に、画像形成部１２、定着部１３、給紙部１４、原稿給送部６、及び画像読取部５等を備えて構成されている。
【００２０】
装置本体１１は、下部本体１１１と、この下部本体１１１の上方に対向配置された上部本体１１２と、この上部本体１１２と下部本体１１１との間に設けられた連結部１１３とを備えている。上部本体１１２には、画像読取部５及び原稿給送部６が設けられている。
【００２１】
画像読取部５は、上部本体１１２の上面開口に装着された、原稿を載置するためのコンタクトガラス１６１と、このコンタクトガラス１６１に載置された原稿を押さえる開閉自在の原稿押さえカバー１６２と、コンタクトガラス１６１に載置された原稿の画像を読み取る読取機構１６３とを備えている。読取機構１６３は、原稿に向けて光を照射する発光ダイオード（ＬＥＤ：Light Emitting Diode)を有する光源としての光照射部(光源)と、ＣＣＤ（Charge Coupled Device）やＣＭＯＳ（Complementary Metal Oxide Semiconductor）等のイメージセンサー（変換部）２５と、後述する複数のミラー及び集光レンズ等を有して原稿読取スリット５３の下方位置とコンタクトガラス１６１の下方位置である原稿読取位置との間で移動可能な光学系２３０（図３）とを備え、これらを用いて原稿の画像を光学的に読み取り、画像データを生成する。本実施形態では、読取機構１６３がＣＣＤ方式である場合を例にして説明するが、読取機構１６３としては、ＣＣＤ方式及びＣＩＳ（Contact Image Sensor）方式のいずれであっても構わない。
【００２２】
原稿給送部６は、給紙ローラー及び搬送ローラーの駆動により、原稿載置部６１に載置された原稿を１枚ずつ繰り出して、透明な原稿ガラス５３１が配設された原稿読取スリット５３に対向する位置へ搬送し、原稿読取スリット５３を介して画像読取部５の読取機構１６３による読取を可能とした後、原稿排出部６６へと排出する。なお、このように原稿給送部６によって搬送される原稿を読み取る設定の場合、読取機構１６３は、原稿読取スリット５３の下方となる給送原稿読取位置に位置し、原稿ガラス５３１（図３）を通して、原稿給送部６によって搬送されてくる原稿を読み取る。
【００２３】
下部本体１１１には、画像形成部１２、定着部１３および給紙部１４が内装されている。給紙部１４は、装置本体１１に対して挿脱可能の給紙カセット１４２，１４３，１４４を有している。
【００２４】
画像形成部１２は、給紙部１４から給紙された記録紙にトナー像を形成する画像形成動作を行う。画像形成部１２は、中間転写ベルト１２５の走行方向において上流側から下流側へ向けて順次配設された、マゼンタ色のトナーを用いるマゼンタ用の画像形成ユニット１２Ｍ、シアン色のトナーを用いるシアン用の画像形成ユニット１２Ｃ、イエロー色のトナーを用いるイエロー用の画像形成ユニット１２Ｙおよびブラック色のトナーを用いるブラック用の画像形成ユニット１２Ｂ（以下、各画像形成ユニットを区別することなく述べる場合には、それぞれを「画像形成ユニット１２０」と言う）と、駆動ローラー１２５ａ（二次転写対向ローラー）等の複数のローラー間に画像形成における副走査方向へ無端走行可能に張架された中間転写ベルト１２５と、中間転写ベルト１２５が駆動ローラー１２５ａに張架される部分で中間転写ベルト１２５の外周面に当接する二次転写ローラー２１０とを備えている。
【００２５】
各画像形成ユニット１２０は、感光体ドラム１２１と、感光体ドラム１２１へトナーを供給する現像装置１２２と、トナーを収容するトナーカートリッジ（不図示）と、帯電装置１２３と、露光装置１２４と、一次転写ローラー１２６と、ドラムクリーニング装置１２７とをそれぞれ一体的に備えている。
【００２６】
感光体ドラム１２１は、その周面に静電潜像およびこの静電潜像に沿ったトナー像を形成する。現像装置１２２は、感光体ドラム１２１へトナーを供給する。各現像装置１２２には、前記トナーカートリッジからトナーが適宜補給される。
【００２７】
帯電装置１２３は、感光体ドラム１２１の直下位置に設けられている。帯電装置１２３は、各感光体ドラム１２１の周面を一様に帯電させる。
【００２８】
露光装置１２４は、感光体ドラム１２１の下方位置であって、帯電装置１２３の更に下方位置に設けられている。露光装置１２４は、コンピューター等から入力された画像データや画像読取部５が取得した画像データに基づく各色に対応したレーザ光を、帯電後の感光体ドラム１２１の周面に照射し、各感光体ドラム１２１の周面に静電潜像を形成する。露光装置１２４は、いわゆるレーザ露光装置であり、レーザビームを出力するレーザ光源と、当該レーザビームを感光体ドラム１２１表面に向けて反射させるポリゴンミラーと、ポリゴンミラーによって反射されたレーザ光を感光体ドラム１２１に導くためのレンズやミラー等の光学部品を備えている。
【００２９】
現像装置１２２は、矢印の方向へ回転する感光体ドラム１２１の周面の静電潜像にトナーを供給して当該トナーを積層させ、感光体ドラム１２１の周面に前記画像データに応じたトナー像を形成する。
【００３０】
中間転写ベルト１２５は、各感光体ドラム１２１の上方位置に配置されている。中間転写ベルト１２５は、図１における左側の駆動ローラー１２５ａと、同図の右側の従動ローラー１２５ｂとの間に無端走行可能に張架され、下方の外周面が各感光体ドラム１２１の周面に当接している。従動ローラー１２５ｂは、駆動ローラー１２５ａに対向する位置に設けられて、中間転写ベルト１２５の無端走行に伴って従動回転する。中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１と同期しながら、駆動ローラー１２５ａと従動ローラー１２５ｂとの間を無端走行する。
【００３１】
中間転写ベルト１２５を挟んで各感光体ドラム１２１に対向する位置には、一次転写ローラー１２６が設けられている。この一次転写ローラー１２６には、図略の転写バイアス印加機構により転写バイアスが印加され、一次転写ローラー１２６は、各感光体ドラム１２１の外周周面に形成された上記トナー像を中間転写ベルト１２５の表面に転写させる。
【００３２】
制御部１０（図２）は、各色の毎に一次転写ローラー１２６及び画像形成ユニット１２０を駆動制御して、中間転写ベルト１２５の表面に、マゼンタ用の画像形成ユニット１２Ｍにより形成されたマゼンタのトナー像の転写と、次いで中間転写ベルト１２５の同一位置にシアン用の画像形成ユニット１２Ｃにより形成されたシアンのトナー像の転写と、次いで中間転写ベルト１２５の同一位置にイエロー用の画像形成ユニット１２Ｙにより形成されたイエローのトナー像の転写と、最後のブラック用の画像形成ユニット１２Ｂにより形成されたブラックのトナー像の転写とを、各色のトナー像が重なり合うように行わせ、これによりカラーのトナー像を中間転写ベルト１２５の表面に形成させる（中間転写（一次転写））。
【００３３】
二次転写ローラー２１０は、図略の転写バイアス印加機構により転写バイアスが印加されている。二次転写ローラー２１０は、中間転写ベルト１２５の表面に形成されたカラーの上記トナー像を、給紙部１４から搬送されてきた記録紙に転写させる。二次転写ローラー２１０は、前記トナー像が記録紙に二次転写されるニップ部Ｎを、中間転写ベルト１２５を挟んで駆動ローラー１２５ａとの間に形成する。用紙搬送路１９０を搬送される記録紙は、ニップ部Ｎにおいて中間転写ベルト１２５と二次転写ローラー２１０とに押圧挟持され、ここにおいて中間転写ベルト１２５上のトナー像が記録紙に二次転写される。
【００３４】
ドラムクリーニング装置１２７は、各感光体ドラム１２１の図１で左方位置に設けられ、感光体ドラム１２１の周面の残留トナーを除去してクリーニングする。
【００３５】
画像形成部１２に対して図１での左方位置には、上下方向に延びる用紙搬送路１９０が形成されている。用紙搬送路１９０には、適所に搬送ローラー対１９２が設けられている。搬送ローラー対１９２は、給紙部１４から繰り出された記録紙を、ニップ部Ｎ及び定着部１３に向けて搬送する。すなわち、当該適所に配置された搬送ローラー対１９２からなる搬送機構により記録紙が搬送される。
【００３６】
定着部１３は、内部に加熱源である通電発熱体を備えた加熱ローラー１３２と、加熱ローラー１３２に対向配置された加圧ローラー１３４とを備えている。定着部１３は、画像形成部１２で転写された記録紙上のトナー像に対し、記録紙が加熱ローラー１３２と加圧ローラー１３４との間の定着ニップ部を通過する間に、加熱ローラー１３２から熱を与えて定着処理を施す。定着処理の完了したカラー画像形成済みの記録紙は、定着部１３の上部から延設された排紙搬送路１９４を通って、下部本体１１１の頂部に設けられた排出トレイ１５１へ向けて排出される。
【００３７】
給紙部１４は、装置本体１１の図１における右側壁に開閉自在に設けられた手差しトレイ１４１と、給紙カセット１４２，１４３，１４４とを備えている。給紙カセット１４２，１４３，１４４の上方に設けられたピックアップローラー１４５は、給紙カセット１４２，１４３，１４４に収容された用紙束の最上位の記録紙を用紙搬送路１９０へ向けて繰り出す。
【００３８】
用紙排出部１５は、下部本体１１１と上部本体１１２との間に形成されている。用紙排出部１５は、下部本体１１１の上面に形成された排出トレイ１５１を備える。排出トレイ１５１は、画像形成部１２でトナー像が形成された記録紙が、定着部１３で定着処理が施された後に排出されるトレイである。
【００３９】
次に、画像形成装置１の構成を説明する。図２は画像形成装置１の主要内部構成を概略的に示す機能ブロック図である。
【００４０】
画像形成装置１は、制御部１０を備える。制御部１０は、ＣＰＵ(Central Processing Unit)、ＲＡＭ、ＲＯＭ及び専用のハードウェア回路等から構成され、画像形成装置１の全体的な動作制御を司る。
【００４１】
制御部１０は、画像読取部５、原稿給送部６、画像処理部３１、画像メモリー３２、画像形成機構４０、操作部４７、ファクシミリ通信部７１、ネットワークインターフェイス部９１、ＨＤＤ（ハードディスクドライブ）９２等と接続されている。制御部１０は、接続されている上記各機構の動作制御や、各機構との間での信号又はデータの送受信を行う。
【００４２】
制御部１０は、ユーザーから操作部４７又はネッワーク接続されたパーソナルコンピューター等を通じて入力されるジョブの実行指示に従って、スキャナー機能、プリンター機能、コピー機能及びプリンター機能の各機能についての動作制御を実行するために必要な各機構部の駆動及び処理を制御する。
【００４３】
画像読取部５は、制御部１０による制御の下、光照射部及びＣＣＤセンサー等を有する上記の読取機構１６３を備える。画像読取部５は、光照射部により原稿を照射し、その反射光をＣＣＤセンサーで受光することにより、原稿から画像を読み取る。
【００４４】
画像処理部３１は、画像読取部５で読み取られた画像の画像データを必要に応じて画像処理する。例えば、画像処理部３１は、画像読取部５により読み取られた画像が画像形成部１２により画像形成された後の品質を向上させるために、シェーディング補正等の予め定められた画像処理を行う。
【００４５】
画像メモリー３２は、画像読取部５による読取で得られた原稿画像のデータを一時的に記憶したり、画像形成部１２のプリント対象となるデータを一時的に保存する領域である。
【００４６】
画像形成機構４０は、上述した画像形成部１２、定着部１３、及び、搬送ローラー対１９２等により構成される用紙搬送機構４１１を備える。画像形成機構４０は、画像読取部５で読み取られた画像データ等の画像形成を行う。
【００４７】
操作部４７は、画像形成装置１が実行可能な各種動作及び処理についてユーザーからの指示を受け付けるタッチパネル部及び操作キー部を備える。タッチパネル部は、タッチパネルが設けられたＬＣＤ（Liquid Crystal Display）等の表示部（報知部）４７３を備えてなる。
【００４８】
ファクシミリ通信部７１は、図略の符号化／復号化部、変復調部及びＮＣＵ（Network Control Unit）を備え、公衆電話回線網を用いてのファクシミリの送信を行うものである。
【００４９】
ネットワークインターフェイス部９１は、ＬＡＮボード等の通信モジュールから構成され、当該ネットワークインターフェイス部９１に接続されたＬＡＮ等を介して、ローカルエリア内の装置(パーソナルコンピューター等)と種々のデータの送受信を行う。
【００５０】
ＨＤＤ９２は、画像読取部５によって読み取られた原稿画像等を記憶する大容量の記憶装置である。
【００５１】
第１温度センサー３０は、サーミスター等からなり、原稿給送部６により給送される原稿を読取機構１６３が読み取る位置である原稿読取スリット５３の下方位置周辺の温度を検出する。例えば、第１温度センサー３０は、原稿読取スリット５３の原稿ガラス５３１の温度を検出するように配設されている。第１温度センサー３０は、検出した温度を示す信号を制御部１０に送出する。
【００５２】
第２温度センサー３３は、サーミスター等からなり、コンタクトガラス１６１上に載置された原稿を読取機構１６３が読み取る位置である、コンタクトガラス１６１の下方位置の周辺温度を検出する。例えば、第２温度センサー３３は、コンタクトガラス１６１の温度を検出するように配設されている。第２温度センサー３３は、検出した温度を示す信号を制御部１０に送出する。
【００５３】
第３温度センサー３４は、サーミスター等からなり、画像形成装置１の周囲環境温度を検出する。例えば、第３温度センサー３４は、画像形成装置１の上部本体１１２の外面部に取り付けられ、画像形成装置１が設置されている周囲環境温度を検出するように配設されている。第３温度センサー３４は、検出した温度を示す信号を制御部１０に送出する。
【００５４】
次に、画像読取部５及び原稿給送部６の構成を説明する。図３は画像読取部５及び原稿給送部６の概略構成を示す概略断面図である。
【００５５】
画像読取部５は、コンタクトガラス１６１に載置された原稿、又は原稿給送部６によって搬送される原稿を読み取る。
【００５６】
画像読取部５が原稿給送部６によって搬送される原稿Ｓを読み取る場合、制御部１０の制御により、読取機構１６３は、原稿読取スリット５３の原稿ガラス５３１の下方位置の給送原稿読取位置（図３に実線で示す位置）に移動する。原稿給送部６では、制御部１０の制御に従って、一対に配設された給紙ローラー６１３と分離コロ６１７とにより、原稿載置部６１に載置された複数の原稿Ｓから順に一枚の原稿Ｓが分離され、この原稿Ｓは、一対のレジストローラー６１５により、原稿押さえ部材６１９のシェーディング用である白色の標準基準板８１と原稿ガラスとの間となる原稿読取スリット５３の位置に搬送される。
【００５７】
原稿Ｓが原稿読取スリット５３を移動するとき、読取機構１６３によって、原稿読取スリット５３の原稿ガラス５３１側の原稿面の画像が読み取られる。このとき、まず、制御部１０の制御により、ＬＥＤを有する光照射部２６が発光し、この光照射部２６の光が、原稿読取スリット５３の原稿ガラス５３１部分を透過して原稿Ｓに照射される。その結果、原稿読取スリット５３の位置にある原稿部分からの反射光が原稿ガラス５３１を通して第１ミラー２１に入射する。当該入射光は、第２ミラー２２、第３ミラー２３及びレンズ系２４を通過した後、イメージセンサー２５へ入射する。なお、光照射部２６は、主走査方向に延び、複数のＬＥＤが当該主走査方向に並設されている。
【００５８】
イメージセンサー２５は、制御部１０の制御に従って動作し、上記入射光を電気信号へ変換する。イメージセンサー２５は、主走査方向に配列しており、主走査方向の１ライン分の画像データを同時に取得する。なお、イメージセンサー２５は、複数ライン分の画像データを同時に取得可能なように、複数列が配置されていてもよい。イメージセンサー２５によって取得された画像データは、図略の処理回路によって増幅及びデジタル信号化された後に、さらにシェーディング補正、ガンマ補正、色収差補正、ＭＴＦ（Modulation Transfer Function）補正及びスキャナー色補正等の様々な画像処理が画像処理部３１によって施される。そして、画像処理された画像データは、画像メモリー３２に一時的に記憶される。
【００５９】
原稿読取スリット５３を通過した原稿Ｓは、制御部１０の制御に従って一対の排紙ローラー６１８により原稿排出部６６に排出される。
【００６０】
一方、画像読取部５が操作者によりコンタクトガラス１６１上に載置された原稿Ｓを読み取る場合は、読取機構１６３の光照射部２６及び光学系２３０は、図３に破線で示す位置Ｐ１に移動する。なお、この実施形態では、光照射部２６が位置Ｐ１に移動した場合、光学系２３０の位置は元のままである例を示している。読取機構１６３は、原稿読取開始後、その光照射部２６及び光学系２３０が、位置Ｐ１から位置Ｐ２まで、図３に示す矢印方向(副走査方向)に移動しながら、コンタクトガラス１６１に載置された原稿Ｓの当該コンタクトガラス１６１に面する側の画像を読み取る。原稿照射及びイメージセンサー２５による処理は上記給送原稿読取位置における読取と同様である。
【００６１】
なお、原稿ガラス５３１とコンタクトガラス１６１は、それぞれ別個のガラス部材により構成されてもよいし、同一のガラス部材において、その一部が原稿ガラス５３１とされ、他部がコンタクトガラス１６１とされるものであってもよい。
【００６２】
次に、画像形成装置１における電源制御系を説明する。図４は画像形成装置１における電源制御系の概略構成を示す図である。画像形成装置１は、更に図３に示す各構成を備えている。
【００６３】
画像形成装置１は、本体用電源１０１と、スリープ用電源１０２とを備えている。本体用電源１０１は、画像形成装置１がコピー機能、スキャン機能、プリンター機能、又はファクス機能を実行するために各動作機構を動作させるとき、すなわち、画像形成装置１が後述する通常動作モードとされているときに、当該各動作機構に電源を供給する。本体用電源１０１は、商用電源Ｅ(AC100V)に接続されている。本体用電源１０１は、例えば、AC-DCコンバーター等からなり、商用電源から得られる電圧の交流電流を異なる電圧の直流
電流へ変換する。例えば、本体用電源１０１、商用電源の交流電圧100(V)を直流電圧5(V)又は10(V)に変換して、直流電力を必要とする画像形成装置１内の上記各動作機構に供給する。但し、当該直流電圧は、あくまでも一例であり、この値には限定されない。
【００６４】
スリープ用電源１０２は、上記各動作機構を休止状態として待機させ、予め限定された動作機構のみ即座に動作可能とされるスリープモードに画像形成装置１が切り換えられているときに、当該制限された動作機構に、制限された電力で電源を供給する。スリープ用電源１０２は、商用電源Ｅ(AC100V)に接続されている。スリープ用電源１０２は、例えば、AC-DCコンバーター等からなり、商用電源から得られる電圧の交流電流を異なる電圧の直流電流へ変換する。例えば、スリープ用電源１０２は、商用電源の交流電圧100(V)を直流電圧3.3(V)に変換して、直流電力を必要とする画像形成装置１内の上記制限された各動作機構に、上記制限された電力で直流電力を供給する。また、スリープ用電源１０２は、スリープ用駆動制御部１０３に電源を供給する。但し、当該直流電圧は、あくまでも一例であり、この値には限定されない。
【００６５】
電源スイッチ１０４は、例えばトグルスイッチ等であり、画像形成装置１の主電源をオンオフする主電源スイッチである。電源スイッチ１０４は、本体用電源１０１と、電源制御部１０５とに接続されている。電源スイッチ１０４は、操作者による操作でスイッチオン状態とされたときに、電源制御部１０５に対して、当該スイッチオン状態を検出したことを示すスイッチオン検出信号を出力する。すなわち、電源スイッチ１０４は、画像形成装置１内の上記各動作機構に対して本体用電源１０１からの電力を供給するか否かの指示を、操作者による当該電源スイッチ１０４の操作に基づいて受け付ける。
【００６６】
電源制御部１０５は、ＣＰＵを有し、本体用電源１０１に接続され、当該本体用電源１０１から供給される電力で駆動する。電源制御部１０５は、電源スイッチ１０４からスイッチオン検出信号を受けたときに、本体用電源１０１から供給される電力を上記各動作機構に供給するように制御を行う。例えば、電源制御部１０５は、スイッチオン検出信号の有無に応じて電源供給スイッチ１０７のオン又はオフを切り換える。電源制御部１０５による制御で電源供給スイッチ１０７がスイッチオンになると、本体用電源１０１と制御部１０とが接続され、制御部１０に本体用電源１０１から電源が供給される。
【００６７】
スリープ用駆動制御部１０３は、通常動作モードと、スリープモードとを切り換える制御を行う。通常動作モードとは、画像形成装置１の各動作機構に通常動作を行わせる動作モードである。通常動作モードでの動作時には、本体用電源１０１から当該各動作機構に電源が供給される。また、スリープモードとは、上記各動作機構を待機状態とし、通常動作モード時の電力よりも低い電力で上記光照射部２６を含む予め限定された動作機構のみを動作させる動作モードである。この予め限定された動作機構とは、本実施形態では、通常動作モード時に駆動される上記各動作機構のうち、光照射部２６及び表示部４７３等である。スリープモードでの当該予め限定された動作機構の動作時には、スリープ用電源１０２から当該予め限定された各動作機構に電源が供給される。なお、本実施形態では、スリープ用駆動制御部１０３が、特許請求の範囲におけるモード切換制御部及びスリープ用駆動制御部の両方の機能を有する例を示している。
【００６８】
スリープ用駆動制御部１０３は、スリープモードに切り換えた状態のときに、スリープ用電源１０２からの電源供給を受ける上記予め限定された動作機構をリモート信号の出力等により駆動制御する。さらに、スリープ用駆動制御部１０３は、画像形成装置１をスリープモードに切り換える場合には、スリープ用電源１０２から光照射部２６等へ電源を供給させ、本体用電源１０１を駆動停止させる。また、スリープ用駆動制御部１０３は、通常動作モードに切り換える場合には、スリープ用電源１０２から光照射部２６等へ電源供給を停止させ、本体用電源１０１を駆動させる制御を行う。
【００６９】
光照射部２６は、スリープ用電源１０２に接続されている。光照射部２６は、スリープ用駆動制御部１０３による駆動制御により、当該スリープ用電源１０２から電源の供給を受ける。
【００７０】
光照射部２６は、ＬＥＤ部２６１と、ＬＥＤ駆動部２６２とを備えている。ＬＥＤ部２６１は、上述したように、複数のＬＥＤ素子が主走査方向に並べて配置されてなる。また、ＬＥＤ駆動部２６２は、スリープ用駆動制御部１０３又は制御部１０からのリモート信号に従って、ＬＥＤ部２６１の駆動を制御する。
【００７１】
次に、画像形成装置１における光照射部２６の駆動制御の第１実施形態を説明する。図５は画像形成装置１における光照射部２６の駆動制御の第１実施形態を示すフローチャートである。
【００７２】
画像形成装置１の主電源が投入された後、画像形成装置１が通常動作モードとされて、本体用電源１０１から上記各動作機構に電源が供給されている状態で、操作者による操作部４７、ネットワーク接続されているパーソナルコンピューターからのジョブ受信、又はファクシミリ通信部７１によるファクシミリ受信等による当該各動作機構を動作させる指示が、予め定められた期間（任意に設定が可能。例えば、20分間）の間行われていないと、スリープ用駆動制御部１０３が判断した場合は(Ｓ１でＹＥＳ)、スリープ用駆動制御部１０３は、画像形成装置１をスリープモードに切り換える(Ｓ２)。このとき、スリープ用駆動制御部１０３は、スリープ用電源１０２による光照射部２６への電源供給を開始させると共に、本体用電源１０１を駆動停止させる。なお、制御部１０は、スリープモードへの切換時には、原稿読取スリット５３の下方位置に画像読取部５の光学系を移動させておく。
【００７３】
このスリープモードへの切換後、スリープ用駆動制御部１０３は、第３温度センサー３４から入力される温度検出信号が示す画像形成装置１の周辺温度と、第２温度センサー３３から入力される温度検出信号の示すコンタクトガラス１６１の温度との温度差が、予め定められた温度t1に達しているか否かを判断する（Ｓ３）。すなわち、第１実施形態では、コンタクトガラス１６１の温度を画像読取部５の温度として、光照射部２６による光照射の制御を行う。
【００７４】
予め定められた温度t1は、例えば、気温10[℃]の場合に露点2.6[℃]とすると、t1=7.4[℃]とされる。画像形成装置１の製造者により、公知の計算式により求めた露点温度に基づいて、周辺温度に応じた温度t1が予め定め設定されてスリープ用駆動制御部１０３に記憶される。
【００７５】
ここで、スリープ用駆動制御部１０３が、上記温度差が予め定められた温度t1に達していると判断した場合には（Ｓ３でＹＥＳ）、スリープ用駆動制御部１０３は、原稿読取スリット５３の下方位置に光学系が位置している画像読取部５のＬＥＤ駆動部２６２にＬＥＤ部２６１を駆動させて（Ｓ４）、ＬＥＤ部２６１を発光させる。このとき、光照射部２６には、スリープ用電源１０２から電源が供給されている。
【００７６】
この後、スリープ用駆動制御部１０３は、第３温度センサー３４から入力される温度検出信号が示す画像形成装置１の周辺温度と、第２温度センサー３３から入力される温度検出信号の示すコンタクトガラス１６１の温度との温度差が上記予め定められた温度t1未満になったかを判断し（Ｓ５）、当該温度差が上記予め定められた温度t1未満になるまで、ＬＥＤ駆動部２６２にＬＥＤ部２６１を駆動させる（Ｓ５でＮＯ，Ｓ４）。
【００７７】
スリープ用駆動制御部１０３は、当該温度差が上記予め定められた温度t1未満になったと判断した場合（Ｓ５でＹＥＳ）、操作者による操作部４７の操作、ネットワーク接続されたパーソナルコンピューターからのジョブ受信、又はファクシミリ受信等により、画像読取部５による原稿読取動作の実行指示が入力されているか否かを判断する（Ｓ６）。
【００７８】
スリープ用駆動制御部１０３が、原稿読取動作（画像読取動作）の実行指示が入力されていないと判断した場合（Ｓ６でＮＯ）、ＬＥＤ部２６１の発熱により原稿ガラス５３１及びコンタクトガラス１６１の両方が結露防止可能な温度に達しているため、スリープ用駆動制御部１０３は、ＬＥＤ駆動部２６２にＬＥＤ部２６１を駆動停止させて（Ｓ７）、ＬＥＤ部２６１を発光停止させる。この後、処理はＳ３に戻り、上述したＳ３乃至Ｓ６の処理が繰り返される。
【００７９】
なお、Ｓ３において、スリープ用駆動制御部１０３が、第３温度センサー３４から入力される温度検出信号が示す画像形成装置１の周辺温度と、第２温度センサー３３から入力される温度検出信号の示すコンタクトガラス１６１の温度との温度差が、上記予め定められた温度t1に達していないと判断した場合も（Ｓ３でＮＯ）、Ｓ４及びＳ５の処理をスキップして、このＳ６の処理に移る。但し、この場合、ＬＥＤ部２６１は駆動されていないため、原稿読取動作の実行指示が入力されていないと判断された場合であっても（Ｓ６でＮＯ）、ＬＥＤ部２６１の駆動停止処理（Ｓ７）は行わない。
【００８０】
一方、スリープ用駆動制御部１０３は、原稿読取動作の実行指示が入力されたと判断した場合（Ｓ６でＹＥＳ）、画像形成装置１を通常動作モードに切り換える（Ｓ８）。このとき、スリープ用駆動制御部１０３は、スリープ用電源１０２から光照射部２６への電源供給を停止させる。さらに、スリープ用駆動制御部１０３は、本体用電源１０１を駆動開始させる。これにより、制御部１０に本体用電源１０１から電源が供給され、制御部１０は、上述した各動作機構である原稿給送部６及び画像読取部５を駆動して、上記の原稿読取動作の実行指示の内容に従って、給送原稿読取位置又は載置原稿読取位置における原稿読取動作を行わせる（Ｓ９）。
【００８１】
なお、この後、画像形成装置１の主電源が投入されている間は、Ｓ１以降の処理が繰り返される。
【００８２】
また、上記では、光照射部２６は、スリープモード時にはスリープ用電源１０２からの電源供給を受け、通常動作モード時に本体用電源１０１からの電源供給を受けるものとされているが、これに限られず、光照射部２６は、スリープモード時及び通常動作モード時のいずれであっても、本体用電源１０１からの電源供給を受けずに、スリープ用電源１０２からの電源供給を受けて駆動するものとしてもよい。この場合、スリープモード時及び通常動作モード時のいずれであっても、スリープ用駆動制御部１０３は、スリープ用電源１０２から光照射部２６への電源供給を停止させない。
【００８３】
このように、第１実施形態では、スリープ用駆動制御部１０３が、原稿読取動作の実行指示を受ける前のスリープモード状態の時点から、光照射部２６のＬＥＤ部２６１を駆動して発光させるため、当該発光によって生じる熱により、原稿ガラス５３１及びコンタクトガラス１６１の温度、すなわち、画像読取部５による原稿読取位置周辺の温度を露点温度以上に保つことが可能になり、画像読取部５の周辺での結露を要因とする読取動作の不具合発生を防止できる。
【００８４】
第１実施形態では、光照射部２６にスリープ用電源１０２から電源を供給する構成を採ることにより、画像形成装置１がスリープモードの状態であっても、スリープ用駆動制御部１０３が光照射部２６を駆動して発光させることを可能にしている。光照射部２６のＬＥＤ部２６１は、消費電力が比較的少ないため、スリープ用電源１０２からの低電力の電源供給であっても駆動して発光させることが可能である。このため、第１実施形態によれば、比較的発熱量が少ないＬＥＤ部２６１であっても、スリープモード状態の時点から発光を開始させることで、結露防止に必要な発熱量を確保できる。さらに、消費電力の少ないＬＥＤ部２６１を光源としているため、従来よりも少ない消費電力で結露防止に必要な発熱量を得ることが可能である。
【００８５】
次に、画像形成装置１における光照射部２６の駆動制御の第２実施形態を説明する。図６は画像形成装置１における光照射部２６の駆動制御の第２実施形態を示すフローチャートである。なお、第１実施形態と同様の処理は説明を省略する。
【００８６】
第２実施形態でも、第１実施形態と同様に、スリープ用駆動制御部１０３は、画像形成装置１をスリープモードに切り換えた後(Ｓ１２)、第３温度センサー３３から入力される画像形成装置１の周辺温度と、第２温度センサー３３から入力される温度検出信号の示すコンタクトガラス１６１部分の温度との温度差が、上記予め定められた温度t1に達していると判断した場合は（Ｓ１３でＹＥＳ）、原稿読取スリット５３の下方位置に光学系２３０が位置している画像読取部５について、ＬＥＤ駆動部２６２にＬＥＤ部２６１を駆動させ（Ｓ１４）、ＬＥＤ部２６１を発光させる。
【００８７】
但し、第２実施形態では、この後、スリープ用駆動制御部１０３は、第３温度センサー３３から入力される温度検出信号の示す画像形成装置１の周辺温度と、第１温度センサー３０から入力される温度検出信号の示す原稿読取スリット５３部分（原稿ガラス５３１部分）の温度との温度差が上記予め定められた温度t1未満であるかを更に判断する（Ｓ１５）。スリープ用駆動制御部１０３は、当該温度差が上記予め定められた温度t1未満であると判断した場合は（Ｓ１５でＹＥＳ）、表示部４７３に、原稿給送部６によって給送される原稿は読み取り可能であり、コンタクトガラス１６１上に載置された原稿の読み取りは不可能である旨のメッセージを表示させ（Ｓ１７）、操作者に対して画像形成装置１による原稿読取可不可状態の報知を行う。なお、スリープ用駆動制御部１０３は、当該温度差が上記予め定められた温度t1未満ではないと判断した場合は（Ｓ１５でＮＯ）、ＬＥＤ駆動部２６２にＬＥＤ部２６１を駆動させておく（Ｓ１４）。
【００８８】
上記表示後、原稿読取動作の実行指示の入力があった場合は（Ｓ１８でＹＥＳ）、スリープ用駆動制御部１０３は、操作者からの読取指示を受け付ける当該指示が原稿給送部６によって給送される原稿の読取指示か、コンタクトガラス１６１上に載置された原稿の読み取り指示かを判別する（Ｓ１９）。
【００８９】
ここで、スリープ用駆動制御部１０３が、当該指示が原稿給送部６によって給送される原稿の読取指示であると判別した場合（Ｓ１９で「給送原稿読取」）、スリープ用駆動制御部１０３は、画像形成装置１を通常動作モードに切り換え（Ｓ２０）、原稿給送部６及び画像読取部５に当該読取動作を行わせる（Ｓ２１）。
【００９０】
また、スリープ用駆動制御部１０３が、Ｓ１８において原稿像読取動作の実行指示の入力がないと判断した場合（Ｓ１８でＮＯ）、及びＳ１９において画像読取指示がコンタクトガラス１６１に載置された原稿の読取指示であると判別した場合（Ｓ１９で「載置原稿読取」）には、スリープ用駆動制御部１０３は、第２温度センサー３３及び第３温度センサー３３からの温度検出信号に基づいて、周辺温度とコンタクトガラス１６１の温度との温度差が上記予め定められた温度差t1未満となっているかを判断する（Ｓ２２）。
【００９１】
ここで、スリープ用駆動制御部１０３が、周辺温度とコンタクトガラス１６１の温度との温度差が予め定められた温度差t1未満にはなっていないと判断した場合は（Ｓ２２でＮＯ）、処理をＳ１４に戻し、スリープ用駆動制御部１０３は、ＬＥＤ駆動部２６２にＬＥＤ部２６１の駆動を続け、ＬＥＤ部２６１を発光させておく。以下、Ｓ１５以降の処理が繰り返される。
【００９２】
一方、スリープ用駆動制御部１０３が、周辺温度とコンタクトガラス１６１の温度との温度差が予め定められた温度差t1未満になっていると判断した場合は（Ｓ２２でＹＥＳ）、スリープ用駆動制御部１０３は、表示部４７３に、原稿給送部６によって給送される原稿の読み取りと、コンタクトガラス１６１上に載置された原稿の読み取りの両方が可能である旨のメッセージを表示させる（Ｓ２３）。
【００９３】
Ｓ２３の表示後、スリープ用駆動制御部１０３が、原稿読取動作の実行指示の入力があったと判断した場合は（Ｓ２４でＹＥＳ）、スリープ用駆動制御部１０３は、当該操作者からの指示が原稿給送部６によって給送される原稿の読取指示であっても、コンタクトガラス１６１上に載置された原稿の読み取り指示であっても、画像形成装置１を通常動作モードに切り換え（Ｓ２０）、画像読取部５と必要であれば原稿給送部６に当該読取動作を行わせる（Ｓ２１）。
【００９４】
なお、Ｓ１９において画像読取指示がコンタクトガラス１６１に載置された原稿の読取指示であると判別した場合（Ｓ１９で「載置原稿読取」）に、Ｓ２２において、周辺温度とコンタクトガラス１６１の温度との温度差が予め定められた温度差t1未満になっていると判断された場合は（Ｓ２２でＹＥＳ）、Ｓ２３及びＳ２４の処理は不要であり、Ｓ２０の処理に移る。
【００９５】
また、Ｓ１３において、スリープ用駆動制御部１０３が、画像形成装置１の周辺温度と、コンタクトガラス１６１部分の温度との温度差が、上記予め定められた温度t1に達していないと判断した場合も（Ｓ１３でＮＯ）、処理はＳ２４に移る。
【００９６】
なお、Ｓ２３の表示後、スリープ用駆動制御部１０３が、原稿読取動作の実行指示の入力がないと判断した場合は（Ｓ２４でＮＯ）、ＬＥＤ部２６１の発熱により原稿ガラス５３１及びコンタクトガラス１６１の両方が結露防止可能な温度に達しているため、スリープ用駆動制御部１０３は、ＬＥＤ駆動部２６２にＬＥＤ部２６１を駆動停止させて（Ｓ２５）、ＬＥＤ部２６１を発光停止させる。この後、処理はＳ１３に戻り、上述したＳ１３以降の処理が繰り返される。
【００９７】
この第２実施形態によれば、結露を防止して正常な原稿読取が可能となるタイミングの判断を、コンタクトガラス１６１に載置された原稿読取に加えて、原稿給送部６により給送される原稿の読取についても、それぞれ正確に行うことができる。このため、上記ＬＥＤ部２６１の発熱により載置原稿読取位置部分よりも早期に温度が上昇する給送原稿読取位置での原稿読取を許可するタイミングを正確に判断して、給送原稿読取位置での原稿読取動作を早期に可能にすることができる。これにより、給送原稿読取位置及び載置原稿読取位置のいずれにおいても結露を要因とする原稿読取の失敗を防止しつつ、給送原稿読取位置での原稿読取動作を早期に可能にすることができる。
【００９８】
なお、本発明は上記実施の形態の構成に限られず種々の変形が可能である。例えば、上記各実施形態では、画像形成装置１がスリープモードに切り換えられている状態のときであって、画像形成装置１の周囲温度と画像読取部５の温度との温度差が上記予め定められた温度差t1以上である場合に、スリープ用駆動制御部１０３が光照射部２６を駆動し、ＬＥＤ部２６１発光させて発熱させるが、これに代えて、又はこれと共に、スリープ用駆動制御部１０３は、操作部４７の操作等により操作者から指定されたタイミングでＬＥＤ部２６１を発光させるものとしてもよい。例えば、操作者が操作部４７を操作して所望の時刻を入力すると、スリープ用駆動制御部１０３が当該時刻を受け付け、内蔵する計時タイマにより当該時刻が計時された時に、光照射部２６を駆動し、ＬＥＤ部２６１を発光させて発熱させてもよい。これにより、例えば、画像形成装置１が設置されている場所が事業所等である場合に、当該事業所の始業時間に合わせて、画像読取部５による読取位置周辺の温度を予め上昇させておき、結露を防止しつつ正常な原稿読取動作を始業時から可能にすることが可能になる。
【００９９】
また、光照射部２６のＬＥＤ部２６１及びＬＥＤ駆動部２６２を同一基板上に設けることとすれば、光照射部２６が駆動されてＬＥＤ部２６１が発光するときには、ＬＥＤ部２６１の発光による発熱だけでなく、ＬＥＤ駆動部２６２の発熱も加えて、画像読取部５による読取位置周辺の温度を効率良く温度上昇させることが可能である。
【符号の説明】
【０１００】
１        画像形成装置
５        画像読取部
６        原稿給送部
１０      制御ユニット
１００    制御部
１０１    本体用電源
１０２    スリープ用電源
１０３    スリープ用駆動制御部
２３０      光学系
２４      レンズ系
２５      イメージセンサー
２６      光照射部
２６１    ＬＥＤ部
２６２    ＬＥＤ駆動部
３０      第１温度センサー
３３      第２温度センサー
３４      第３温度センサー
４７      操作部
４７３    表示部
５３      原稿読取スリット
５３１    原稿ガラス
１６１    コンタクトガラス
１６３    読取機構
【図１】
0005740333.tif 000002
【図２】
0005740333.tif 000003
【図３】
0005740333.tif 000004
【図４】
0005740333.tif 000005
【図５】
0005740333.tif 000006
【図６】
0005740333.tif 000007